(57)【要約】      （修正有）【課題】予め箱内に薬、健康食品、サプリメントが収容された状態で、箱自体に朝、昼、夜の表示をして飲み間違いを防ぐとともに、患者が薬を朝、昼、夜に分ける煩雑な作業を無くすことができる箱を提供する。【解決手段】３つの部屋に仕切られた箱本体２と、該箱本体と一体的にまたは別体として設けられ、当該３つの部屋を塞ぐ蓋体３とを備え、前記３つの部屋を区別するための着色剤層が、前記箱本体または蓋体に接着剤層を介して設けられてなることを特徴として、該箱１を構成する。【選択図】図１
0003158012.tif 000002
【実用新案登録請求の範囲】
【請求項１】
３つの部屋に仕切られた箱本体と、
該箱本体と一体的にまたは別体として設けられ、当該３つの部屋を塞ぐ蓋体と
を備え、
前記３つの部屋を区別するための着色剤層が、前記箱本体または蓋体に接着剤層を介して設けられてなる
ことを特徴とする、製剤品を収納する箱。
【請求項２】
前記蓋体が３つの部屋毎に独立してなる請求項１記載の箱。
【請求項３】
前記蓋体が３つの部屋全体を塞ぐことを特徴とする請求項１記載の箱。
【請求項４】
前記蓋体と箱本体とを跨いで貼付された封印層が設けられてなる請求項１〜３のいずれか１項に記載の箱。
【考案の詳細な説明】
【技術分野】
【０００１】
本考案は製剤品を収納する箱に関する。
【背景技術】
【０００２】
現在市販されている薬として、薬が収容された箱内に複数のカプセルがパッケージに収容され、昼用・夜用でパッケージの色を２色に分けて、昼と夜とで飲みわけができるようにしたものがある。しかしながら、朝、昼、夜とで色分けをしたものや、薬が収容された箱自体が色分けされたものはない。
【０００３】
また、特許文献１には、朝、昼、夜の表示がされた布製のパネルが１週間分設けられたカレンダーが記載され、特許文献２には、朝、昼、夕、夜を複数の色と文字で表示された引き出しが設けられた薬箱が記載されている。
【先行技術文献】
【特許文献】
【０００４】
【特許文献１】実用新案登録第３０６８６６６号
【特許文献２】実用新案登録第３１４３３２９号
【考案の概要】
【考案が解決しようとする課題】
【０００５】
しかしながら、製薬会社から販売されている薬として、予め薬の箱が朝、昼、夜とで色分けされ、分包されて市販されているものはない。また、特許文献１および２に記載されたカレンダーや薬箱は、薬局や病院などから薬を持ち帰り、患者自身や患者の家族、患者のヘルパーなどが薬を自分で取りだし、朝、昼、夜に分けて入れなければならず、非常に面倒である。しかも、たとえば狭心症、糖尿病、胃潰瘍など複数の疾患を持つ患者は、１回に服用する薬の数だけで、１０錠を越える場合もあり、朝、昼、夜とに分けるだけでも非常に煩雑であり、薬を分ける際に間違ってしまう虞がある。薬を分けるのを誤ってしまうと、薬の相互作用によって死に至る場合すらある。
【０００６】
そこで、本考案はかかる事情に鑑みて、予め箱内に薬、健康食品、サプリメントが収容された状態で、箱自体に朝、昼、夜の表示をして飲み間違いを防ぐとともに、患者が薬を朝、昼、夜に分ける煩雑な作業を無くすことができる箱の提供を目的とする。
【課題を解決するための手段】
【０００７】
本考案の製剤品を収納する箱は、３つの部屋に仕切られた箱本体と、該箱本体と一体的にまたは別体として設けられ、当該３つの部屋を塞ぐ蓋体とを備え、前記３つの部屋を区別するための着色剤層が、前記箱本体または蓋体に接着剤層を介して設けられてなることを特徴とする。
【考案の効果】
【０００８】
本考案によれば、予め箱内に薬、健康食品、サプリメントが収容された状態で、箱自体に朝、昼、夜の表示があるので、薬、健康食品、サプリメントの他の時間帯のものとの飲み間違いを防ぐことができる。また、患者自身が薬を朝、昼、夜に分ける煩雑な作業を無くすことができる。また、薬局や病院などで、薬を分包した状態でシールが貼られるので、薬の分け間違いなどを気にせずに済み、薬の相互作用などを気にせずに薬を服用することができる。
【図面の簡単な説明】
【０００９】
【図１】本考案の箱を説明するための説明図である。
【図２】本考案の箱の蓋体を開いた状態を説明するための説明図である。
【図３】本考案の箱の蓋体を説明するための説明図である。
【図４】本考案の箱の蓋体と箱本体との関係を説明するための説明図である。
【図５】本考案の箱に用いられる蓋体およびシールを説明するための説明図である。
【図６】本考案の箱に用いられる箱本体の着色剤を説明するための説明図である。
【図７】本考案の箱の他の実施の形態を説明するための説明図である。
【図８】本考案の箱の部屋を説明するための説明図である。
【図９】本考案の箱に用いられるシールを説明するための説明図である。
【考案を実施するための形態】
【００１０】
添付図面を参照し、本実施の形態にかかわる、散剤を紙またはフィルムで分包したもの、錠剤やカプセル錠をＰＴＰ（Press Through Package）包装された状態の薬剤、健康食品またはサプリメント（以下、単に製剤品という）が収納された状態で薬品メーカから一般消費者に供給されたり、薬品メーカより医師または調剤薬局に供給された前記薬剤を医師の処方箋に従って朝昼晩に服用すべき薬剤を詰め合わせた状態で患者に供給される包装用箱（以下、単に箱という）について、以下に詳細に説明する。
【００１１】
図１および２に示すように、本考案にかかわる箱１は、上部が開放した略直方体状の箱本体２と、開放した上部を覆う蓋体３とから構成されている。箱本体２は、２つの仕切り部Ｐ１、Ｐ２により、３つの部屋Ｃ１、Ｃ２、Ｃ３に分離され、それぞれの部屋Ｃ１、Ｃ２、Ｃ３に朝用、昼用、夜用の製剤品Ｄ１、Ｄ２、Ｄ３が収容されている。
【００１２】
箱本体２および蓋体３は、本実施の形態においては、紙を用いているが、合成樹脂、木などを用いることもできる。箱本体２および蓋体３が合成樹脂または木を用いた場合、箱本体２と蓋体３は、公知のヒンジなどの連結手段により開放可能に連結することができる。
【００１３】
蓋体３は、図１における箱本体２の参照符号２１によって示される側面２１の上端２１ａから延設し、当該蓋体３は、側面２１の上端２１ａを中心に上部に開放可能である。蓋体３には、２つの仕切り部Ｐ１、Ｐ２に対応したカ所にミシン目Ｌ１、Ｌ２が形成されている。図３に示すように、ミシン目Ｌ１、Ｌ２に沿って蓋体３を３つの蓋体３ａ、３ｂ、３ｃに分けることができ、当該３つの蓋体３ａ、３ｂ、３ｃを朝用、昼用、夜用の製剤品Ｄ１、Ｄ２、Ｄ３の部屋Ｃ１、Ｃ２、Ｃ３のそれぞれの蓋とすることができる。また、蓋体３にミシン目Ｌ１、Ｌ２を設けず、部屋Ｃ１、Ｃ２、Ｃ３全体を覆う１枚の蓋体３でもよいし、予め分離された蓋体３ａ、３ｂ、３ｃとしてもよい。
【００１４】
また、蓋体３は、図２に示すように、箱本体２の開口した上部を覆う蓋部３１と、蓋体３を閉じたときに図１における箱本体２の参照符号２２によって示される側面２２の内側に入り込む折り曲げ片３２とから構成される。
【００１５】
図１、４および５に示すように、箱本体２の側面２２は、ミシン目Ｌ３により分断される略台形状の舌片２２ａを有し、舌片２２ａは、蓋体３の折り曲げ片３２と接着剤４を介して部分的に接着されている。箱１の開封前は、図４および５の２点鎖線で示すように、舌片２２ａのミシン目Ｌ３（図１参照）が切断されておらず、舌片２２ａは側面２２の一部であり、舌片２２ａと折り曲げ片３２が接着剤４により接着されているので、側面２２と蓋体３は舌片２２ａを介して接合されている。図４および５に示すように、舌片２２ａをミシン目Ｌ３に沿って側面２２から分離すると、蓋体３が開放可能になる。箱１の開封後は、側面２２から舌片２２ａが分断して取り除かれて、切り欠き部２２ｂが形成される。当該切り欠き部２２ｂにより、箱本体２内の製剤品Ｄ１、Ｄ２、Ｄ３を当該切り欠き部２２ｂから指を入れて取り出すことができ、箱本体２内の製剤品Ｄ１、Ｄ２、Ｄ３を取り出しやすい。
【００１６】
図１に参照符号Ａで示す蓋体３の上面（以下、Ａ面という）には、３種類の異なる色のシールＳ１、Ｓ２、Ｓ３が貼付されている。図５に示すように、シールＳ１、Ｓ２、Ｓ３はそれぞれ接着剤層Ｓａ、フィルム層Ｓｂ、着色剤層Ｓｃが順次積層されて構成され、蓋体３のＡ面上に接着剤層Ｓｃにより貼付される。蓋体３上のシールＳ１、Ｓ２、Ｓ３は、部屋Ｃ１、Ｃ２、Ｃ３に対応して、たとえば朝用の製剤品Ｄ１が収納される部屋Ｃ１上のシールＳ１は緑色で、昼用の製剤品Ｄ２が収納される部屋Ｃ２上のシールＳ２は黄色で、夜用の製剤品Ｄ３が収納される部屋Ｃ３上のシールＳ３は青色で表示することができる。部屋Ｃ１、Ｃ２、Ｃ３ごとに異なる色の表示をすることにより、朝、昼、夜とで飲まなければならない薬を間違う危険性を減らすことができる。なお、シールＳ１、Ｓ２、Ｓ３の色は、異なる色を用いれば特に限定されるものではない。また、シールＳ１、Ｓ２、Ｓ３は、それぞれ色が異なるだけでもよいし、異なる模様や絵柄によって区別しても構わない。
【００１７】
また、シールＳ１、Ｓ２、Ｓ３に代えて、箱本体２や蓋体３が紙の場合は、図６に示すように、紙の箱本体の側面２２または蓋体３に着色剤層Ｃｏを直接印刷することにより部屋Ｃ１、Ｃ２、Ｃ３ごとに表示する色を変えることもできる。箱本体２および蓋体３が合成樹脂や木の場合は、塗装することにより部屋Ｃ１、Ｃ２、Ｃ３ごとの色を変えることができる。
【００１８】
また、蓋体３には、シールＳ１、Ｓ２、Ｓ３の他、図１〜３に示すように、用法が記載された用法表示部Ｕ１、Ｕ２、Ｕ３が設けられている。当該用法表示部Ｕ１、Ｕ２、Ｕ３は、シールにより貼付することもできるし、用法表示部Ｕ１、Ｕ２、Ｕ３には、たとえば朝用の製剤品Ｄ１が収納される部屋Ｃ１用の用法表示部Ｕ１に「１日、１回、１袋をティータイムにコップ１杯（約２００ｍＬ）の水またはお湯に溶かしお召し上がり下さい。」と表示し、朝用の薬とは用法が異なる、昼、夜用の製剤品Ｄ２、Ｄ３が収納される部屋Ｃ２、Ｃ３用の用法表示部Ｕ２、Ｕ３に「１日、１回、１袋を食事とともにお召し上がり下さい。」と表示することにより、間違った用法で薬を飲むことを防止することができる。
【００１９】
上記シールＳ１、Ｓ２、Ｓ３、および用法表示部Ｕ１、Ｕ２、Ｕ３は、図１に示す蓋体３の上面の他、図２に示すように参照符号Ｂで示す蓋体３の裏面や、箱本体２の側面２２などに設けてもよい。
【００２０】
また、たとえば、部屋Ｃ１を覆う蓋体３ａに貼付されたシールＳ１が緑色の場合、部屋Ｃ１に収容される製剤品Ｄ１にも緑色のシールＳ１を貼付し、部屋Ｃ２を覆う蓋体３ｂに貼付されたシールＳ２が黄色の場合、部屋Ｃ２に収容される製剤品Ｄ２にも黄色のシールＳ２を貼付し、製剤品Ｄ１、Ｄ２、Ｄ３に、当該製剤品Ｄ１、Ｄ２、Ｄ３が収容される部屋Ｃ１、Ｃ２、Ｃ３を覆う蓋体３に付されたシールＳ１、Ｓ２、Ｓ３と同色のシールを貼付することにより、間違って薬を飲む危険性をさらに低下させることができる。また、同様に製剤品Ｄ１、Ｄ２、Ｄ３に用法表示部Ｕ１、Ｕ２、Ｕ３を貼付してもよい。
【００２１】
また、本考案の箱１を用いて、薬品メーカより医師または調剤薬局に供給された前記薬剤を医師の処方箋に従って朝昼晩に服用すべき薬剤を詰め合わせた状態で患者に供給することもできる。図７および９に示すように、薬局や病院の名前が印刷された封印層（シール）Ｓ４により箱１のそれぞれの蓋体３ａ、３ｂ、３ｃを箱本体２にとめ、図８に示すように、薬局や病院等で処方される薬Ｄ４〜Ｄ１１が、朝、昼、夜ごとに予め分けて、部屋Ｃ１、Ｃ２、Ｃ３に入れる。
【００２２】
図９に示すように、封印層Ｓ４は、接着剤層Ｓａ、フィルム層Ｓｂ、インク層Ｓｄが積層されたシールであり、たとえばフィルム層Ｓｂ上にインク層Ｓｄが印刷されることにより薬局や病院の名前が表示される。薬局や病院から患者の手に薬が渡されるときは、朝、昼、夜ごとの薬Ｄ４〜Ｄ１１のうち、朝用の薬Ｄ４〜Ｄ６が部屋Ｃ１に入れられ、昼用の薬Ｄ７およびＤ８が部屋Ｃ２に入れられ、夜用の薬Ｄ９〜Ｄ１１が部屋Ｃ３に入れられ、それぞれの蓋体３ａ、３ｂ、３ｃが、薬局や病院の名前が印刷された封印層Ｓ４により箱本体２にとめられた状態である。当該１日分の箱１を複数日分患者に手渡すか、部屋をさらに増やし、朝、昼、夜の分が分けて入れられた１週間分の薬を１つの箱１に入れて患者に手渡してもよい。
【００２３】
患者は、家庭で薬を飲む際、蓋体３に貼付された封印層Ｓ４を破いて中の薬を飲むので、患者以外の家族やヘルパーが当該箱１を見ただけで、患者が薬を飲んだかどうかの確認をすることができ、飲み忘れを防止することができる。また、薬局や病院で薬が分包された状態で、封印層Ｓ４が貼られるので、薬局や病院などから薬を持ち帰り、その後に朝、昼、夜用の薬に分ける必要がない。したがって、患者自身や患者の家族、患者のヘルパーが、薬を分ける必要がないうえ、薬を分けるときに朝用の薬を夜用の薬として分けてしまう、といったミスを無くすことができるので、患者や患者の家族、患者のヘルパーの負担を大幅に軽減することができる。
【符号の説明】
【００２４】
１  箱
２  箱本体
２２ｂ  切り欠き部
３  蓋体
３ａ、３ｂ、３ｃ  蓋体
Ｃ１、Ｃ２、Ｃ３  部屋
Ｄ１、Ｄ２、Ｄ３  製剤品
Ｌ１、Ｌ２、Ｌ３  ミシン目
Ｐ１、Ｐ２  仕切り部
Ｓ１、Ｓ２、Ｓ３  シール
Ｓ４  封印層
Ｓａ  接着剤層
Ｓｂ  フィルム層
Ｓｃ  着色剤層
Ｓｄ  インク層
【図１】
0003158012.tif 000003
【図２】
0003158012.tif 000004
【図３】
0003158012.tif 000005
【図４】
0003158012.tif 000006
【図５】
0003158012.tif 000007
【図６】
0003158012.tif 000008
【図７】
0003158012.tif 000009
【図８】
0003158012.tif 000010
【図９】
0003158012.tif 000011